(57)【要約】【課題】表示画面を視認することなく入力操作する「電子機器」の提供。【解決手段】タッチパネルへのタッチ操作により実行すべき処理を指示する電子機器であって、タッチ操作のタップ回数と実行すべき処理種との対応関係を記憶する記憶部、第１タッチ操作によるタップ回数を検出するタップ回数検出手段、第１タッチ位置を決定する第１タッチ位置決定手段、タップ回数に対応する処理種を決定する処理種決定手段、第１タッチ操作後に第２タッチ操作の位置を検出する第２タッチ位置検出手段、第２タッチ位置が、第１タッチ位置を基準として分けられる一方の領域及び他方の領域の何れに属するかを判定するタッチ領域判定手段、第２タッチ位置が一方の領域に属するときは一方の領域に対応付けられた第１の処理を指示し他方の領域に属するときは他方の領域に対応付けられた第２の処理を指示する制御手段を有する構成となる。【選択図】図２
2016103047.tif 000002
【特許請求の範囲】
【請求項１】
表示画面上に配置されたタッチパネルへの操作体のタッチ操作に基づいて実行すべき処理を指示する電子機器であって、
前記タッチパネルへの操作体のタッチ操作によるタップ回数と実行すべき処理種との対応関係を記憶する記憶部と、
前記タッチパネルへの操作体の第１タッチ操作によるタップ回数を検出するタップ回数検出手段と、
前記タッチパネルへの操作体の第１タッチ操作による第１タッチ位置を決定する第１タッチ位置決定手段と、
前記記憶部に記憶されたタップ回数と実行すべき処理種との対応関係に基づいて、検出されたタップ回数に対応する処理種を決定する処理種決定手段と、
前記第１タッチ操作の後に、前記タッチパネルへの操作体の第２タッチ操作による第２タッチ位置を検出する第２タッチ位置検出手段と、
該第２タッチ位置検出手段により検出された前記第２タッチ位置が、前記第１タッチ位置を基準として分けられる一方の領域及び他方の領域の何れに属するかを判定するタッチ領域判定手段と、
該タッチ領域判定手段による判定で前記第２タッチ位置が、前記一方の領域に属するときは前記一方の領域に対応付けられた前記処理種における第１の処理を指示し、前記他方の領域に属するときは前記他方の領域に対応付けられた前記処理種における第２の処理を指示する制御手段と、を有する電子機器。
【請求項２】
前記第１タッチ位置決定手段は、前記第１タッチ操作が複数のタップを含むときは最後のタップによるタッチ位置を第１タッチ位置とする請求項１に記載の電子機器。
【請求項３】
前記一方の領域及び前記他方の領域は、前記第１タッチ操作の前記第１タッチ位置を含む前記タッチパネル上の縦軸に対する右側領域及び左側領域である請求項１又は２に記載の電子機器。
【請求項４】
前記第１タッチ操作による前記操作体の前記タッチパネルへのタッチを維持した状態で、前記第２タッチ操作による前記操作体の前記タッチパネルへのタッチをする請求項１乃至３のいずれかに記載の電子機器。
【請求項５】
前記第２タッチ操作による前記操作体の前記タッチパネルへのタップ回数又はタッチ時間に応じて、前記制御手段が前記処理種における第１の処理の指示又は第２の処理の指示を継続する請求項４に記載の電子機器。
【請求項６】
前記処理種決定手段により前記処理種が決定されたときに、前記処理種の内容に関する内容情報を音声出力する音声出力手段を有する請求項１乃至５のいずれかに記載の電子機器。
【請求項７】
請求項１乃至６のいずれかに記載の電子機器を備えた車載機器。
【請求項８】
表示画面上に配置されたタッチパネルへの操作体のタッチ操作に基づいて実行すべき処理を指示する電子機器を用いて実行すべき処理の指示方法であって、
前記タッチパネルへの操作体のタッチ操作によるタップ回数と実行すべき処理種との対応関係を記憶する記憶ステップと、
前記タッチパネルへの操作体の第１タッチ操作によるタップ回数を検出するタップ回数検出ステップと、
前記タッチパネルへの操作体の第１タッチ操作による第１タッチ位置を決定する第１タッチ位置決定ステップと、
前記記憶ステップで記憶されたタップ回数と実行すべき処理種との対応関係に基づいて、検出されたタップ回数に対応する処理種を決定する処理種決定ステップと、
前記第１タッチ操作の後に、前記タッチパネルへの操作体の第２タッチ操作による第２タッチ位置を検出する第２タッチ位置検出ステップと、
該第２タッチ位置検出ステップにより検出された前記第２タッチ位置が、前記第１タッチ位置を基準として分けられる一方の領域及び他方の領域の何れに属するかを判定するタッチ領域判定ステップと、
該タッチ領域判定ステップによる判定で前記第２タッチ位置が、前記一方の領域に属するときは前記一方の領域に対応付けられた前記処理種における第１の処理を指示し、前記他方の領域に属するときは前記他方の領域に対応付けられた前記処理種における第２の処理を指示する制御ステップと、を有する電子機器を用いて実行すべき処理の指示方法。
【発明の詳細な説明】
【技術分野】
【０００１】
本発明は、表示画面上に配置されたタッチパネルへの操作体のタッチ操作に基づいて実行すべき処理を指示する電子機器、該電子機器を備えた車載機器及び該電子機器を用いて実行すべき処理の指示方法に関する。
【背景技術】
【０００２】
近年の車載機器等を含む電子機器においては、処理、操作等の指示の入力に際して、ボタン、キー等の表示や配置における自由度の高さ、使用ソフトのアップデートへの対応の容易さ、さらにはコストダウン等の容易さ等の理由により、ハードキー（物理キー）の使用からタッチパネルを用いたソフトキーの使用へと移行する傾向が高まっている。
【０００３】
そのため、車載機器等の電子機器においても、タッチパネルでの操作が容易となるように、ボタン表示を拡大し又はボタン表示エリアよりもタッチ検出エリアを拡大して誤操作を低減するタッチパネル表示装置が提案されている（例えば、特許文献１参照）。
【先行技術文献】
【特許文献】
【０００４】
【特許文献１】特開２００７−１０２４４２号公報
【発明の概要】
【発明が解決しようとする課題】
【０００５】
図６に示すように、上記特許文献１に記載のタッチパネル表示装置１００によれば、車輌の現在位置１０１と地図情報を示すナビゲーション画面１０２において、例えば使用頻度の高いボタン表示である広域表示ボタン１０３について、所定時間範囲内に限り、その検出範囲であるタッチ検出エリア１０５を隣接する表示ボタン（詳細表示１０６、施設検索１０７）の表示範囲に一部重なるまで拡大し、走行中の誤操作の減少を図っている。
【０００６】
しかしながら、使用頻度の高いボタン表示のタッチ検出エリアを拡大したとしても、周辺に他のボタン表示（詳細表示１０６、施設検索表示１０７等）があることからタッチしたい表示ボタンについては視覚での確認が不可欠であり、運転中の誤操作の低減を十分に図ることが困難な場合が多い。また、走行中は車輌の振動等により目的のボタンの検出範囲にタッチするのが困難な場合もあり、さらに静電タッチパネルの場合には、接触しただけでもタッチを検出するため、目的としないボタンの入力操作を招く等、誤操作の低減を図ることが困難である。
【０００７】
本発明は、このような事情に鑑みてなされたものであり、表示画面を視認することなく入力操作を可能とする電子機器を提供するものである。
【課題を解決するための手段】
【０００８】
上記課題を解決するために本発明に係る電子機器は、表示画面上に配置されたタッチパネルへの操作体のタッチ操作に基づいて実行すべき処理を指示する電子機器であって、前記タッチパネルへの操作体のタッチ操作によるタップ回数と実行すべき処理種との対応関係を記憶する記憶部と、前記タッチパネルへの操作体の第１タッチ操作によるタップ回数を検出するタップ回数検出手段と、前記タッチパネルへの操作体の第１タッチ操作による第１タッチ位置を決定する第１タッチ位置決定手段と、前記記憶部に記憶されたタップ回数と実行すべき処理種との対応関係に基づいて、検出されたタップ回数に対応する処理種を決定する処理種決定手段と、前記第１タッチ操作の後に、前記タッチパネルへの操作体の第２タッチ操作による第２タッチ位置を検出する第２タッチ位置検出手段と、該第２タッチ位置検出手段により検出された前記第２タッチ位置が、前記第１タッチ位置を基準として分けられる一方の領域及び他方の領域の何れに属するかを判定するタッチ領域判定手段と、該タッチ領域判定手段による判定で前記第２タッチ位置が、前記一方の領域に属するときは前記一方の領域に対応付けられた前記処理種における第１の処理を指示し、前記他方の領域に属するときは前記他方の領域に対応付けられた前記処理種における第２の処理を指示する制御手段と、を有する構成となる。
【０００９】
このような構成によれば、タッチパネルへの操作体の第１タッチ操作によるタップ回数により対応する処理種を決定し、さらに第２タッチ操作による第２タッチ位置の属する領域を、第１タッチ位置を基準として分けられる一方の領域又は他方の領域の何れかを判定し、各領域に対応付けられた前記処理種における第１の処理又は第２の処理のいずれかを指示することができるので、表示画面を視認することなくタッチ操作により処理種を決定でき、決定された処理種の処理の指示を行うことが可能である。
【００１０】
本発明に係る電子機器において、前記第１タッチ位置決定手段は、前記第１タッチ操作が複数のタップを含むときは最後のタップによるタッチ位置を第１タッチ位置とする構成とすることができる。
【００１１】
このような構成によれば、第１タッチ操作が複数のタップのときに、最後のタップによるタッチ位置を第１タッチ位置とするので、その後に行う第２タッチ操作において、第１タッチ位置を基準として分けられる一方の領域又は他方の領域の判別が容易となる。
【００１２】
本発明に係る電子機器において、前記一方の領域及び前記他方の領域は、前記第１タッチ操作の前記第１タッチ位置を含む前記タッチパネル上の縦軸に対する右側領域及び左側領域である構成とすることができる。
【００１３】
このような構成によれば、第１タッチ位置を基準として分けられる一方の領域又は他方の領域を、第１タッチ位置を含む縦軸に対する右側領域及び左側領域とするので、これらの領域に対応付けられた、処理種における第１の処理の指示又は第２の処理の指示が容易に行えることになる。
【００１４】
本発明に係る電子機器において、前記第１タッチ操作による前記操作体の前記タッチパネルへのタッチを維持した状態で、前記第２タッチ操作による前記操作体の前記タッチパネルへのタッチをする構成とすることができる。
【００１５】
このような構成によれば、第１タッチ操作によるタッチパネルへのタッチを維持した状態で第２タッチ操作をするので、一方の領域及び他方の領域を、第１タッチ位置を含む縦軸に対する右側領域及び左側領域とするため、第２タッチ位置の属する領域を容易に認識することができる。
【００１６】
本発明に係る電子機器において、前記第２タッチ操作による前記操作体の前記タッチパネルへのタップ回数又はタッチ時間に応じて、前記制御手段が前記処理種における第１の処理の指示又は第２の処理の指示を継続する構成とすることができる。
【００１７】
このような構成によれば、前記処理種における第１の処理の指示又は第２の処理の指示を継続することができるので、所望する処理の量となるまで第１の処理の指示又は第２の処理の指示を行うことができる。なお、第１タッチ操作によるタッチパネルへのタッチを維持した状態で第２タッチ操作をすることで、上記第２タッチ操作について第１タッチ操作との誤認を防止できる。
【００１８】
本発明に係る電子機器において、前記処理種決定手段により前記処理種が決定されたときに、前記処理種の内容に関する内容情報を音声出力する音声出力手段を有する構成とすることができる。
【００１９】
このような構成によれば、タップ回数に対応して選択された処理種の内容に関する内容情報を音声で確認できるので、表示画面を視覚で確認しなくてもその後の処理の指示を行う第２タッチ操作へと移行することが可能となる。また、第２タッチ操作が誤って第１タッチ操作と認識された場合、又は第１タッチ操作の繰り返しのときに誤って第２タッチ操作と認識された場合でも、音声出力から上記タッチ操作の確認が可能である。
【００２０】
また本発明に係る車載機器は、上記した各電子機器を備えた構成である。
【００２１】
このような構成によれば、車載機器は上記した各電子機器を備えたことで、車両の運転中に表示画面を視認することなくタッチパネルへの指等の操作体のタッチ操作で処理種の決定と、決定された処理種における各処理の指示を行うことができる。
【００２２】
さらに本発明に係る電子機器を用いて実行すべき処理の指示方法は、表示画面上に配置されたタッチパネルへの操作体のタッチ操作に基づいて実行すべき処理を指示する電子機器を用いて実行すべき処理の指示方法であって、前記タッチパネルへの操作体のタッチ操作によるタップ回数と実行すべき処理種との対応関係を記憶する記憶ステップと、前記タッチパネルへの操作体の第１タッチ操作によるタップ回数を検出するタップ回数検出ステップと、前記タッチパネルへの操作体の第１タッチ操作による第１タッチ位置を決定する第１タッチ位置決定ステップと、前記記憶ステップで記憶されたタップ回数と実行すべき処理種との対応関係に基づいて、検出されたタップ回数に対応する処理種を決定する処理種決定ステップと、前記第１タッチ操作の後に、前記タッチパネルへの操作体の第２タッチ操作による第２タッチ位置を検出する第２タッチ位置検出ステップと、該第２タッチ位置検出ステップにより検出された前記第２タッチ位置が、前記第１タッチ位置を基準として分けられる一方の領域及び他方の領域の何れに属するかを判定するタッチ領域判定ステップと、該タッチ領域判定ステップによる判定で前記第２タッチ位置が、前記一方の領域に属するときは前記一方の領域に対応付けられた前記処理種における第１の処理を指示し、前記他方の領域に属するときは前記他方の領域に対応付けられた前記処理種における第２の処理を指示する制御ステップと、を有する構成である。
【発明の効果】
【００２３】
本発明に係る電子機器によれば、タッチパネルへの操作体の第１タッチ操作によるタップ回数により対応する処理種を決定し、さらに第２タッチ操作による第２タッチ位置の属する領域を、第１タッチ位置を基準として分けられる一方の領域又は他方の領域の何れかとすることで、各領域に対応付けられた前記処理種における第１の処理又は第２の処理のいずれかを指示することができるので、表示画面を視認してタッチすることなく、処理種の決定と、決定された処理種の各処理の指示を行うことが可能となる。
【００２４】
また、本発明に係る電子機器を備えた車載機器によれば、走行中に表示画面を見ずに操作種類である処理種を処理する指示を行うことができる。さらに本発明に係る電子機器を用いて実行すべき処理の指示方法によれば、上述した電子機器をタッチパネルでのタッチ操作により処理種の決定と、その処理種における各処理の指示ができる。
【図面の簡単な説明】
【００２５】
【図１】本発明の実施の形態に係る電子機器及び該電子機器を備えた車載機器を構成するブロック図である。
【図２】本発明の実施の形態に係る電子機器の処理ユニットによる処理手順を示すフローチャートである。
【図３】本発明の実施の形態に係る電子機器における、タップ回数及び該タップ回数と対応する操作項目である処理種の一覧を表示するリストである。
【図４Ａ】図１に示すタッチパネルへの指（操作体）による第１タッチ操作を示す図である。
【図４Ｂ】同じく図１に示すタッチパネルへの指（操作体）による第１タッチ操作を示す図である。
【図５Ａ】図１に示すタッチパネルへの指（操作体）による第２タッチ操作を示す図である。
【図５Ｂ】同じく図１に示すタッチパネルへの指（操作体）による第２タッチ操作を示す図である。
【図６】従来のタッチパネルのボタン表示と拡大したタッチエリアを示す図である。
【発明を実施するための形態】
【００２６】
本発明の実施の形態について図面を用いて説明する。
【００２７】
本発明の実施の形態に係る電子機器及び該電子機器を備えた車載機器は、図１に示すように構成される。
【００２８】
図１に示すように、車載機器１１は、コンピュータユニット（例えば、ＣＰＵ、ＭＰＵ等）によって構成される処理ユニット１２を有する。処理ユニット１２には、ＬＣＤ等によって構成される各種処理に伴う画像、映像等を表示する表示部１３と、表示部１３の表示画面上に積層して配置される、情報処理の指示を操作体（指、タッチペン等）によるタッチ操作により入力するタッチパネル１５と、同じく情報処理の指示を入力するハードキー（物理キー）を備えた操作部１６とが接続されている。また、処理ユニット１２には、各種音源及び映像源（例えば、ＣＤ及びＤＶＤ等）の再生処理が可能なＡＶユニット１７及び自車両のナビゲーションが可能なナビゲーションユニット１８が接続されている。さらに処理ユニット１２には、出力回路２２を介してスピーカ２１が接続されている。これにより、後述するタッチパネルへのタッチ操作により決定される処理種の内容に関する内容情報をスピーカ２１から音声出力することができる。また、ＡＶユニット１７及びナビゲーションユニット１８による処理に係る音声信号を上記同様、出力回路２２を介してスピーカ２１から音声出力することができる。
【００２９】
上記に加えて、処理ユニット１１には、図３に示すように、タップ回数と対応関係にある操作項目（処理種）の一覧を表示したリストが記憶された記憶部２３（例えば、ハードディスク、フラッシュメモリ等）が接続されている。また、記憶部２３には、上記したＡＶユニット１７及びナビゲーションユニット１８において利用する楽曲情報及び地図情報等の各種情報も記憶されている。本実施形態に係る電子機器２５は、上記した処理ユニット１２、タッチパネル１５、記憶部２３、スピーカ２１及び出力回路２２で構成される。
【００３０】
本実施形態に係る電子機器２５及びこの電子機器２５を備えた車載機器１１は、タッチパネル１５への第１タッチ操作によるタップ回数により操作の種類である操作項目（処理種）を決定し、第１タッチ操作の後の第２タッチ操作によるタッチ位置が、第１タッチ位置を基準として分けられた各領域（一方の領域、他方の領域）のいずれであるかによって、第１タッチ操作で決定された操作項目（処理種）の各処理（各領域に対応付けられた処理の態様）を指示するものである。例えば、車載機器１１で動作モードがナビゲーション機能のとき、第１のタッチ操作によるタップ回数によって、操作項目（処理種）の「ＺＯＯＭ」、「Ｖｏｌｕｍｅ（オーディオ）」、「早戻し／早送り」等の何れかを決定することができ、さらに決定した操作項目（処理種）の（例えば「ＺＯＯＭ」）の各処理（拡大又は縮小）を第２タッチ操作による第２タッチ位置の属する領域によって、各処理のいずれかの処理（拡大又は縮小）の指示を行うことができるというものである。
【００３１】
なお、車載機器１１は、切り替え操作等により従来どおり、表示部１３の表示画面上に操作用の各ボタン（不図示）を表示し、タッチパネル１５へのボタン表示のタッチ検出エリアへの操作体によるタッチにより操作の指示を入力することも可能であり、また操作部１６のハードキー（物理キー）による操作の指示も可能である。したがって、電子機器２５及びこの電子機器を備えた車載機器１１を本実施形態による動作を行うためには、上記した従来どおりの操作方式から本実施形態のタッチ操作（第１タッチ操作、第２タッチ操作）による方式へと切り替える必要がある。例えば、タッチパネル１５又は操作部１６からの操作により上記切り替えを行うことができる。
【００３２】
次に電子機器２５を備えた車載機器１１における電子機器２５は、図２に示す手順にて処理の動作が行われる。
【００３３】
図２に示すように、操作部１６のハードキー（物理キー）への押圧操作、又は表示部１３の表示画面のソフトキーであるボタン表示の上のタッチパネル１５へのタッチ操作等により、車載機器１１の動作モードの選択を行うと共に本実施形態による電子機器２５を用いたタッチ操作への切り替えを行う（Ｓ１１）。車載機器１１の動作モードとしては、車載機器１１の主要機能である「オーディオ」、「ナビゲーション」、「ＴＶ」等が設定されており、これらのうちから選択する。動作モードの設定後に、上記した電子機器２５を用いたタッチ操作へ切り替える。操作部１６による操作によるか、タッチパネル１５による操作によるかは予め設定されている。
【００３４】
図３に示すように、記憶部２３には、車載機器１１で動作する各種動作モードに含まれる各種の操作項目（処理種）がタッチ操作によるタップ回数との対応関係と共にリスト表示されている。車載機器１１で動作する動作モードには、例えば楽曲を視聴する「オーディオ」、目標位置や目標施設等への地図案内等を行う「ナビゲーション」、テレビジョン放送を受信して視聴する「ＴＶ」、電話の着信操作を行う「ＴＥＬ（着信）」及び電話の通話中での各種操作を行う「ＴＥＬ（通話中）」等が設けられている。
【００３５】
動作モードとして、例えば「ナビゲーション」が選択され、本実施形態の電子機器２５を用いた処理の指示を行うタッチ操作（第１タッチ操作、第２タッチ操作）への切り替えが完了（Ｓ１１）した後、処理ユニット１２は、タッチパネル１５への操作体（指等）による第１タッチ操作がなされたときは、第１タッチ操作によるタップ回数を検出する（Ｓ１２：タップ回数検出手段）。
【００３６】
動作モードの選択と電子機器２５を用いたタッチ操作への切り替えが完了（Ｓ１１）した後、設定された所定時間を経過しても第１タッチ操作のタップ回数が検出されないとき（Ｓ１２のＮＯ）、処理ユニット１２は上記タッチ操作を終了するか否かの確認を行う（Ｓ１３）。確認はスピーカ２１から音声で、例えば「タッチ操作が５秒以内にないときはタッチ操作による各種の操作項目（処理種）の決定及び処理は終了します。」等の内容を出力する。その後、上記時間内にタッチ操作がないとき（Ｓ１３のＹＥＳ）、処理ユニット１２はタッチ操作による処理の実行を終了し、上記時間内にタッチ操作がされたときは処理の実行を継続し（Ｓ１３のＮＯ）、タップ回数を検出する（Ｓ１２：タップ回数検出手段）。
【００３７】
処理ユニット１２は、タップ回数を検出すると、タップ回数に対応する、動作モードに含まれる操作項目（処理種）を決定し、さらに第１タッチ操作による第１タッチ位置を決定する（Ｓ１４：処理種決定手段、第１タッチ位置検出手段）。
【００３８】
動作モードが既に「ナビゲーション」を選択しているため、処理ユニット１２は、第１タッチ操作によるタップ回数が１のときは動作モード「ナビゲーション」の操作項目（処理種）としてタップ回数１に対応する「ＺＯＯＭ」を決定し、タップ回数が２のときは動作モード「ナビゲーション」の操作項目（処理種）としてタップ回数２に対応する「Ｖｏｌｕｍｅ（オーディオ）」を決定する。さらに、タップ回数が３のときは操作項目（処理種）として対応する「早戻し／早送り」、タップ回数４のときは操作項目（処理種）として対応する「Ｓｋｉｐ」を決定する。
【００３９】
なお、選択された動作モードが例えば、「オーディオ」であるときは、図３に示すように処理ユニット１２は第１タッチ操作によるタップ回数が１のときは動作モード「オーディオ」の操作項目（処理種）としてタップ回数に対応する「Ｖｏｌｕｍｅ」を決定し、タップ回数が２のときは操作項目（処理種）としてタップ回数に対応する「早戻し／早送り」を決定し、タップ回数が３のときは操作項目（処理種）として同様に「Ｓｋｉｐ」を決定する。動作モードとして図３に示す「ＴＶ」、「ＴＥＬ（着信）」、「ＴＥＬ（通話中）」のいずれかを選択したとき、処理ユニット１２は、図３に示すように、各動作モードのタップ回数に対応した操作項目（処理種）を決定する。
【００４０】
上記したタッチ操作は、図４Ａ、図４Ｂに示すように、例えば人差指３１ａ又は中指３１ｂ等の操作体３１によりタッチパネル１５をタッチ操作する（第１タッチ操作）。なお、図４Ａ及び図４Ｂでは、右ハンドルの車両の運転者が左手でタッチ操作する場合の図である（後述する図５Ａ及び図５Ｂも同様）。第１タッチ操作がされると、処理ユニット１２は、上記したようにタップ回数を検出して（Ｓ１２：タップ回数検出手段）、タップ回数に対応する操作項目（処理種）を決定し（Ｓ１４：処理種決定手段）、さらに第１タッチ位置を決定する（Ｓ１４：第１タッチ位置決定手段）。処理ユニット１２は、タップ回数が１のときは操作体３１がタッチした位置が第１タッチ位置として、タップ回数が２以上のときには最後のタップによりタッチした位置が第１タッチ位置として決定する。
【００４１】
上記したように、動作モードの各種の操作項目（処理種）は対応するタップ回数により決定されるが、タッチ位置はタッチパネル１５のいずれかであればよい。したがって、表示部１３の表示画面上における表示ボタンのタッチ検出エリアをタッチするという従来のタッチ操作と異なり、表示部１３の表示画面上の表示ボタンを視認する必要がなく、運転操作中でも各種の操作項目（処理種）の決定が容易となる。選択した動作モード「ナビゲーション」において、タップ回数が１のときは、処理ユニット１２は、図４Ａに示すように操作項目（処理種）として「ＺＯＯＭ」を決定する（Ｓ１４：処理種決定手段）。また、タップ回数が２の時は、処理ユニット１２は、図４Ｂに示すように操作項目（処理種）として「Ｖｏｌｕｍｅ」を決定する（Ｓ１４：処理種決定手段）。なお、図４Ａ、図４Ｂにはタッチ回数により決定された操作項目（処理種）である「ＺＯＯＭ」、「Ｖｏｌｕｍｅ」、及び操作項目（処理種）における各処理の指示内容である「＋」（拡大又は増加）及び「−」（縮小又は減少）が記載、表示されているが、これに限定するものでなく他の表示でもよく、又は表示を省略してもよい。
【００４２】
図４Ａ、図４Ｂに示すように、処理ユニット１２は、タッチパネル１５にタッチした第１タッチ操作で最後にタッチした位置を第１タッチ位置として決定すると、タッチパネル１５に向かって第１タッチ位置を含むタッチパネル１５上の縦軸３３対して右側を第１の領域（一方の領域）３５ａ、左側を第２の領域（他方の領域）３５ｂとして区分けする。後述するように、図４Ａでは、第１の領域３５ａが操作項目（処理種）「ＺＯＯＭ」の拡大（+）の処理を第２タッチ操作により指示する範囲であり、第２の領域３５ｂが「ＺＯＯＭ」の縮小（−）の処理を第２タッチ操作により指示する範囲である。また、図４Ｂでは、第１の領域３５ａが操作項目（処理種）「Ｖｏｌｕｍｅ」の増加（+）の処理を第２タッチ操作により指示する範囲であり、第２の領域３５ｂが「Ｖｏｌｕｍｅ」の減少（−）の処理を第２タッチ操作により指示する範囲である。なお、第１の領域（一方の領域）と第２の領域（他方の領域）については、タッチパネル上の縦軸３３に対して右側領域と左側領域にしたが、これに限定するものでなく、例えば水平軸に対して上側領域と下側領域に分けても良い。
【００４３】
次に、処理ユニット１２は、第１タッチ操作の後に操作体の第２タッチ操作による第２タッチ位置を検出したか否かの判断をする（Ｓ１５：第２タッチ位置検出手段）。第２タッチ操作は、第１タッチ操作による第１タッチ位置を決定する最後のタップをした指をタッチパネル１５上にタッチさせた状態にしつつ、他の指でタッチすることにより行う。このようにすることで、第１タッチ操作の後に行うタッチ操作について別途行う第１タッチ操作と第２タッチ操作との区別が可能となる。よって、第１タッチ操作の最後のタップをした指をタッチパネル１５から離反させると、処理ユニット１２は、次に行うタッチ操作は第２タッチ操作ではなく、他の第１タッチ操作として認識、処理することになる。
【００４４】
第１タッチ操作から所定時間の経過後も第２タッチ操作がなく、かつ第１タッチ操作を行った操作体３１（人差指３１ａ等）がタッチパネル１５から離反したときは第２タッチ操作をしないものとして（Ｓ１５のＮＯ）、処理ユニット１２は、別の操作項目（処理種）を決定する次の第１タッチ操作を検出する（Ｓ１２）。例えば、動作モードの「ナビゲーション」において、第１タッチ操作でのタップ回数が１で操作項目（処理種）として「ＺＯＯＭ」が決定されたが、第２タッチ操作による「ＺＯＯＭ」における縮小／拡大の処理の指示を行わずに、別の操作項目（処理種）である「Ｖｏｌｕｍｅ」へ移行すべく、タップ回数２の第１タッチ操作を行う場合である。
【００４５】
処理ユニット１２は、第２タッチ操作による第２タッチ位置を検出すると（Ｓ１５のＹＥＳ）、さらに第２タッチ操作による第２タッチ位置が第１の領域であるか、第２の領域の何れに属するかを検出する（Ｓ１６：第２タッチ領域判定手段）。第２タッチ位置が第１の領域（一方の領域）に属するとき、処理ユニット１２は、第１タッチ操作のタップ回数により決定された操作項目（処理種）について、第１の領域に対応する処理の指示（例えば「ＺＯＯＭ」の拡大（+））をする（Ｓ１７）。また、第２タッチ位置が第２の領域（他方の領域）に属するとき、処理ユニット１２は、第１タッチ操作のタップ回数により決定された操作項目（処理種）について、第２の領域に対応する処理の指示（例えば「ＺＯＯＭ」の縮小（−）」をする（Ｓ１８）。
【００４６】
例示として、図５Ａ、図５Ｂに示すように第２タッチ操作が行われる。図５Ａでは、中指３１ｂにより第１タッチ操作が行われ（タップ回数１により操作項目（処理種）「ＺＯＯＭ」決定）、タッチした中指３１ｂはタッチパネル１５上にタッチした状態で人差指３１ａにより第２タッチ操作を行うものである。第２タッチ操作の人差指３１ａは、第１の領域３５ａをタッチしているので、「ＺＯＯＭ」の拡大（+）の操作項目（処理種）を行う指令となる。「ＺＯＯＭ」の拡大（+）は、第２タッチ操作である人差指３１ａのタッチ回数に応じて段階的に拡大し、又は人差指３１ａがタッチした状態を維持するときはそのタッチ時間に比例して拡大するように設定されている。
【００４７】
図５Ｂでは、人差指３１ａにより第１タッチ操作が行われ（タップ回数２により操作項目（処理種）「Ｖｏｌｕｍｅ」決定）、タッチした人差指３１ａはタッチパネル１５上にタッチした状態で中指３１ｂにより第２タッチ操作を行うものである。第２タッチ操作の中指３１ｂは、第２の領域３５ｂをタッチしているので、「Ｖｏｌｕｍｅ」の減少（−）の操作項目（処理種）を行う指令となる。「Ｖｏｌｕｍｅ」の減少（−）は、第２タッチ操作である中指３１ｂのタッチ回数に応じて段階的に減少、又は人差指３１ａのタッチ時間に比例して減少する。
【００４８】
このように、本実施形態の電子機器２５及び電子機器２５を備えた車載機器１１によれば、タッチパネル１５上への操作体３１による第１タッチ操作によるタップ回数によって所定動作モードに含まれる操作項目（処理種）を決定し、次に決定した操作項目の処理の指示内容を次の第２タッチ操作によって行うことができるので、車載機器１１の操作を行う際に表示画面の視覚による確認を必要とせず、運転操作に集中することができる。また、本実施形態に係る電子機器２５をスマートフォン等の携帯機器、ＰＣ等の情報処理装置に用いることで、視覚による確認を要さずにタッチ操作のみで操作項目（処理種）の決定と、決定した操作項目の処理の指示を行うことが可能となる。
【産業上の利用可能性】
【００４９】
以上、説明したように、本発明に係る電子機器によれば、タッチパネルへの操作体の第１タッチ操作によるタップ回数により対応する処理種を決定し、さらに第２タッチ操作による第２タッチ位置の属する領域を、第１タッチ位置を基準として分けられる一方の領域又は他方の領域の何れかとすることで、各領域に対応付けられた前記処理種における第１の処理又は第２の処理のいずれかを指示することができるので、表示画面を視認してタッチすることなく、処理種の決定と、決定された処理種の各処理の指示を行うことが可能となるという効果を奏し、電子機器を備えた車載機器としても有用である。
【符号の説明】
【００５０】
１１    車載機器
１２    処理ユニット
１３    表示部
１５    タッチパネル
１６    操作部
１７    ＡＶユニット
１８    ナビゲーションユニット
２１    スピーカ
２２    出力回路
２３    記憶部
２５    電子機器
【図１】
2016103047.tif 000003
【図２】
2016103047.tif 000004
【図３】
2016103047.tif 000005
【図４Ａ】
2016103047.tif 000006
【図４Ｂ】
2016103047.tif 000007
【図５Ａ】
2016103047.tif 000008
【図５Ｂ】
2016103047.tif 000009
【図６】
2016103047.tif 000010